(57)【要約】      （修正有）【課題】使用者に最適な振動体感を得させる振動機構を有する陰圧カップ構造を提供する。【解決手段】カップ本体１０と、振動発生機構と、を備えた振動機構を有する陰圧カップ構造である。カップ本体１０は、収容空洞部１１を有し、両端に開放端１２及び閉鎖端１３を各々形成し、閉鎖端１３に収容空洞部１１に連通する陰圧吸引孔１３１及び電気接続口１３２が設けられ、閉鎖端１３の収容空洞部１１内にポスト１３３が延在され、振動発生機構は、箱体３１と、箱体３１内に設けられた振動部材と、振動部材に電気的に接続される電源コネクタ３３と、を備え、ここで振動発生機構が箱体３１とポスト１３３との連結及び電源コネクタ３３が電気接続口１３２に挿通することを介して、カップ本体１０の収容空洞部１１内に固定配置される。【選択図】図１
0003234581.tif 000002
【実用新案登録請求の範囲】
【請求項１】
振動機構を有する陰圧カップ構造であって、
収容空洞部を有し、両端に開放端及び閉鎖端を各々形成し、前記閉鎖端に前記収容空洞部に連通する陰圧吸引孔及び電気接続口が設けられ、前記閉鎖端の前記収容空洞部内にポストが延在されるカップ本体と、
箱体と、前記箱体内に設けられた振動部材と、前記振動部材に電気的に接続される電源コネクタと、を備え、前記箱体と前記ポストとの連結及び前記電源コネクタが前記電気接続口に挿通することを介して、前記カップ本体の前記収容空洞部内に固定配置される振動発生機構と、
を備える陰圧カップ構造。
【請求項２】
前記箱体は、箱基部と、前記箱基部に対応して覆い被せる箱蓋と、を備え、前記箱基部の中心にポスト挿着孔が設けられ、ポスト挿着孔の脇に貫通孔が形成され、前記ポスト挿着孔が前記ポストの挿着のために用いられ、前記電源コネクタはスクリュー部材と、ナット部材と、を備え、前記スクリュー部材が前記貫通孔と前記電気接続口に挿通してから、前記ナット部材と互いに締め付ける請求項１に記載の振動機構を有する陰圧カップ構造。
【請求項３】
前記振動発生機構は、パッドをさらに備え、前記パッドが円筒管を備え、前記円筒管が前記ポストと前記ポスト挿着孔との間に挟持される請求項２に記載の振動機構を有する陰圧カップ構造。
【請求項４】
前記パッドは、前記円筒管の一端から外側に向けて延在するフランジをさらに備え、前記フランジが前記箱基部と前記閉鎖端との間に挟持される請求項３に記載の振動機構を有する陰圧カップ構造。
【請求項５】
前記振動発生機構は、モータカバーをさらに備え、前記箱基部の内部に前記振動部材を固定配置するための収容溝が設けられ、前記モータカバーが前記振動部材に合わせて覆い被せ、前記箱基部に締め付けられる請求項２に記載の振動機構を有する陰圧カップ構造。
【請求項６】
前記振動発生機構は、電気部品をさらに備え、前記箱基部の内部に複数のスタッドを延在し、前記電気部品が複数の締付具を介して各前記スタッドに通されて締め付けられる回路基板を備える請求項２に記載の振動機構を有する陰圧カップ構造。
【請求項７】
前記振動発生機構は、ボタンをさらに備え、前記電気部品が前記回路基板に電気的に接続されるスイッチをさらに備え、前記ボタンが前記箱蓋に設けられ、前記スイッチに対応して配置される請求項６に記載の振動機構を有する陰圧カップ構造。
【請求項８】
前記ボタンの外周における前記箱蓋に凸環を延在し、前記凸環は前記ボタンの外表面よりも高い請求項７に記載の振動機構を有する陰圧カップ構造。
【請求項９】
前記箱体は、箱基部と、箱蓋と、を備え、前記箱蓋が溶接方法で前記箱基部に結合される請求項１に記載の振動機構を有する陰圧カップ構造。
【請求項１０】
前記箱体は、箱蓋を備え、前記箱蓋の表面に複数の波形凸条が形成され、各前記波形凸条が間隔をあけて配置される請求項１に記載の振動機構を有する陰圧カップ構造。
【請求項１１】
圧力解放部材をさらに備え、前記閉鎖端に前記収容空洞部に連通するプランジャ孔が設けられ、前記圧力解放部材が前記プランジャ孔に対応して取り付けられる請求項１に記載の振動機構を有する陰圧カップ構造。
【請求項１２】
前記圧力解放部材の中心に割り溝が設けられ、前記割り溝の両側における前記圧力解放部材にポッチが各々設けられる請求項１１に記載の振動機構を有する陰圧カップ構造。
【考案の詳細な説明】
【技術分野】
【０００１】
本考案は、陰圧カップ構造技術分野に関し、特に、振動機構を有する陰圧カップ構造に関する。
【背景技術】
【０００２】
陰圧カップは、体の皮膚表面を覆い被せ、陰圧吸引方法で皮膚に刺激を与えることで、健康増進機能を発揮するためのヘルスケア器具であり、陰圧カップのフィットネス効果を高めるため、陰圧カップに振動ボックスをさらに設けることができ、陰圧吸引過程で同時に振動を与えて、血液循環を促進し、フィットネス効果を高める。
【０００３】
従来の陰圧カップにおいて、ある程度の効果を有するが、これら製品は、大型、重く又は重心がずれているため、使い勝手が悪い。また、振動効果を有する一部の陰圧カップは、振動の騒音が発生し、特に、ヘルスケア及び長期間使用環境で、騒音が使用者に与える影響はより顕著になることから、使用者の使用意欲を下げていた。
【０００４】
これに鑑み、本考案者は、上記の従来技術の欠陥に対し、鋭意研究を重ねると共に学理の運用を組み合わせ、上記問題点を解決することに努めた結果、本考案者の改良の目標となった。
【考案の概要】
【考案が解決しようとする課題】
【０００５】
本考案の目的は、振動発生機構とカップ体の堅固な結合を利用して、振動部材が発生した振動をカップ本体に十分伝達することで、使用者に最適な振動体感を得させることができる。振動機構を有する陰圧カップ構造を提供することである。
【課題を解決するための手段】
【０００６】
上記目的を達成するため、本考案は、カップ本体と、振動発生機構と、を備えた振動機構を有する陰圧カップ構造を提供する。前記カップ本体は、収容空洞部を有し、両端に開放端及び閉鎖端を各々形成し、前記閉鎖端に前記収容空洞部に連通する陰圧吸引孔及び電気接続口が設けられ、前記閉鎖端の前記収容空洞部内にポストが延在され、前記振動発生機構は箱体と、前記箱体内に設けられた振動部材と、前記振動部材に電気的に接続される電源コネクタと、を備え、ここで前記振動発生機構が前記箱体と前記ポストとの連結及び前記電源コネクタが前記電気接続口に挿通することを介して、前記カップ本体の前記収容空洞部内に固定配置される。
【考案の効果】
【０００７】
本考案は、さらに以下の効果を有する。箱体が中央寄せてカップ本体の中心に設計することで、振動部材の作動過程で重心の偏りを無くし、常に本体の重心が中央付近にくるようにすることで、均一に外力を受ける振動体感を実現する。パッドをポストと箱基部のポスト挿着孔との間に設けることで、騒音低減効果を奏する。ボタンの外周における箱蓋に凸環を延在することによって、操作過程で誤接触されることを効果的に防止する。
【図面の簡単な説明】
【０００８】
【図１】本考案の振動機構を有する陰圧カップ構造の立体分解図である。
【図２】本考案の振動発生機構の立体分解図である。
【図３】本考案の振動発生機構の別の方向から見た立体分解図である。
【図４】本考案の振動機構を有する陰圧カップ構造の組立外観図である。
【図５】本考案の振動機構を有する陰圧カップ構造の組立断面図である。
【考案を実施するための形態】
【０００９】
以下、本考案の詳細な説明及び技術内容は、図面を参照しつつ説明するが、添付図面は、例示のみを目的としており、本考案を限定することを意図するものではない。
【００１０】
図１乃至図５を参照すると、本考案は、主にカップ本体１０と、振動発生機構３０と、を備えた振動機構を有する陰圧カップ構造を提供する。
【００１１】
カップ本体１０は、大まかに円筒形を呈し、収容空洞部１１を有し、カップ本体１０の両端に開放端１２及び閉鎖端１３を各々形成し、閉鎖端１３に収容空洞部１１に連通する陰圧吸引孔１３１及び電気接続口１３２が設けられ、閉鎖端１３の収容空洞部１１内の中心位置にポスト１３３が延在され、陰圧吸引孔１３１は陰圧チューブ９の接続のために用いられる。なお、開放端１２の周縁に環形凸縁１２１が形成されている。また、閉鎖端１３に収容空洞部１１に連通するプランジャ孔１３４が設けられる。
【００１２】
振動発生機構３０は、主に箱体３１と、振動部材３２と、電源コネクタ３３と、を備え、箱体３１が主に箱基部３１１と、箱蓋３１６と、を備え、箱基部３１１がプラスチック等の材料で製造され、大まかに円筒体を呈し、箱基部３１１の中心位置にポスト挿着孔３１２が設けられ、また、ポスト挿着孔３１２の脇における箱基部３１１に貫通孔３１３が設けられ、且つ箱基部３１１の内部に振動部材３２を固定配置するための収容溝３１４が設けられ、収容溝３１４の脇に複数のスタッド３１５を延在する。箱蓋３１６もプラスチック等の材料で製造され、箱基部３１１に対応して覆い被せ、溶接方法で結合されることで、防水と防塵等の効果を奏する。
【００１３】
本実施例の振動部材３２は、振動モータであるが、この形態に限定されるものではなく、振動部材３２の周波数の高さ及び変動度の大きさも、実際の使用ニーズに応じて異なる形式の組み合わせ及び変化することができることで、異なる程度の振動体感を実現する。
【００１４】
電源コネクタ３３は、主にスクリュー部材３３１と、ナット部材３３２と、を備え、スクリュー部材３３１が箱基部３１１の貫通孔３１３と前記電気接続口１３２に挿通してから、ナット部材３３２と互いに締め付ける。スクリュー部材３３１は、導線（図示せず）を介して振動部材３２に電気的に接続することができる。
【００１５】
振動発生機構３０は、箱基部３１１のポスト挿着孔３１２と前記ポスト１３３との接続及び電源コネクタ３３が前記電気接続口１３２を貫設することによって、振動発生機構３０をカップ本体１０の収容空洞部１１内に固定配置させる。
【００１６】
さらに、振動発生機構３０は、電気部品３４を含む。電気部品３４は、回路基板３４１と、回路基板３４１に電気的に接続されるスイッチ３４２と、他の電子素子と、を備え、回路基板３４１がネジ等の締付具に通された後前記スタッド３１５に締め付けられる。前記振動部材３２は、導線（図示せず）を介して回路基板３４１に電気的に接続されることができ、前記スクリュー部材３３１も導線（図示せず）を介して回路基板３４１に電気的に接続されることができ、スイッチ３４２を押圧することによって振動部材３２のオン或いはオフを実現する。
【００１７】
さらに、振動発生機構３０は、パッド３５を含む。パッド３５は、軟質材料（ゴム又はシリコーンなど）で製造されることができ、主に円筒管３５１と、円筒管３５１の一端から外側に向けて延在するフランジ３５２と、を備え、円筒管３５１がポスト１３３と箱基部３１１のポスト挿着孔３１２との間にきつく挟持され、フランジ３５２が箱基部３１１とカップ本体１０の閉鎖端１３との間に挟持されることで、騒音低減効果を奏する。
【００１８】
さらに、振動発生機構３０は、モータカバー３６を備え、モータカバー３６が振動部材３２に合わせて覆い被せ、ネジ等の螺着部材を介して箱基部３１１に締め付けられることで、振動部材３２を前記収容溝３１４及びモータカバー３６の中にパッケージされている。
【００１９】
さらに、振動発生機構３０は、ボタン３７を備え、ボタン３７が箱蓋３１６に設けられ、前記スイッチ３４２に対応して配置され、ボタン３７を押圧することによってスイッチ３４２の反応にトリガーする。ボタン３７は、二次射出成形方法により箱蓋３１６に形成されることができ、良好な防水効果を奏する。なお、ボタン３７の外周における箱蓋３１６に凸環３１７を延在し、この凸環３１７はボタン３７の外表面よりも高いことで、操作過程で誤接触されるのを有効的に防止する。また、箱蓋３１６の表面に複数の波形凸条３１８が形成され、各波形凸条３１８は間隔をあけて配置され、任意の２つの隣り合う波形凸条３１８の間に空気通路を形成して、人体の皮膚と箱蓋３１６との過度な貼り付けによるうっ血等の望ましくない状態を避ける。
【００２０】
さらに、本考案の振動機構を有する陰圧カップ構造は、前記カップ本体１０のプランジャ孔１３４に対応して設けられる圧力解放部材５０を備え、圧力解放部材５０の中心に割り溝５１が設けられ、割り溝５１の両側における圧力解放部材５０にポッチ５２が各々設けられ、使用時、片側のポッチ５２で割り溝５１を開けることができ、カップ本体１０外部の空気を収容空洞部１１内に入らせ、カップ本体１０内の収容空洞部１１の陰圧環境を解放させることができ、使用者が割り溝５１を開け続けない後、割り溝５１が直ちに元の位置に戻ることで、収容空洞部１１内の空気とカップ本体１０外の空気を遮断させる。
【００２１】
再度図５を参照すると、使用時カップ本体１０の開放端１２を人体の皮膚に覆い被せ、陰圧チューブ９を介して収容空洞部１１内の空気を陰圧吸引孔１３１から抜いた後、収容空洞部１１内に陰圧を発生させることで、皮膚表面が盛り上がり（破線部位）、次に振動発生機構３０の作動を介して、同時に振動マッサージの体感効果を奏することができる。
【００２２】
上記をまとめると、本考案の振動機構を有する陰圧カップ構造は、意図した用途を達成し、従来の欠陥を解決することができ、新規性及び進歩性を有し、特許出願要件に完全に適合するので、特許法に基づいて出願し、考案者の権利を保障するため、何卒ご審理の上、速やかに特許査定賜りますようお願いする次第である。
【符号の説明】
【００２３】
１０    カップ本体
１１    収容空洞部
１２    開放端
１２１  環形凸縁
１３    閉鎖端
１３１  陰圧吸引孔
１３２  電気接続口
１３３  ポスト
１３４  プランジャ孔
３０    振動発生機構
３１    箱体
３１１  箱基部
３１２  ポスト挿着孔
３１３  貫通孔
３１４  収容溝
３１５  スタッド
３１６  箱蓋
３１７  凸環
３１８  波形凸条
３２    振動部材
３３    電源コネクタ
３３１  スクリュー部材
３３２  ナット部材
３４    電気部品
３４１  回路基板
３４２  スイッチ
３５    パッド
３５１  円筒管
３５２  フランジ
３６    モータカバー
３７    ボタン
５０    圧力解放部材
５１    割り溝
５２    ポッチ
９      陰圧チューブ
【図１】
0003234581.tif 000003
【図２】
0003234581.tif 000004
【図３】
0003234581.tif 000005
【図４】
0003234581.tif 000006
【図５】
0003234581.tif 000007